(57)【要約】【課題】  シールドケース５０の構造を複雑にすることなく、ＥＭＩ（電磁波障害）を防止するとともに結露による絶縁不良や腐食を防止すること。【解決手段】  プリント配線基板上に実装されたＦＰＣ用コネクタ１０と、このＦＰＣ用コネクタ１０の外周囲を覆うシールドケース５０とを具備し、ＦＰＣ用コネクタ１０の外壁面に接地用の補強金具１４、１６を設け、シールドケース５０の対応する側板部５４、５４に、ＦＰＣ用コネクタ１０との係合時に補強金具１４、１６と弾性接触する膨出部５８、５８を形成し、シールドケース５０を接地してシールドするとともに、シールドケース５０表面の結露水がコンタクト２２〜２２の接続端子やプリント配線基板上の接続端子（例えば接続パッド）の上に流下するのを防止する。【選択図】  図１
2005268018.tif 000002
【特許請求の範囲】
【請求項１】
プリント配線基板上に実装されたコネクタ（１０）と、このコネクタ（１０）の外側に設けられるシールドケース（５０）とを具備し、コネクタ（１０）の外壁面に接地用の導電部材を設け、シールドケース（５０）が、コネクタ（１０）の上方から見える領域を覆う天板部（５２）と、この天板部（５２）から下方へ連設されて前記導電部材と電気的に接触する側板部とを具備したことを特徴とするコネクタのシールド構造。
【請求項２】
コネクタ（１０）が略直方体状に形成され、接地用の導電部材がコネクタ（１０）の対向する外壁面に設けられた導電部材（１４）（１６）であり、シールドケース（５０）の側板部が、コネクタ（１０）との係合時に導電部材（１４）（１６）と弾性接触する膨出部（５８）（５８）が形成された側板部（５４）（５４）であることを特徴とする請求項１記載のコネクタのシールド構造。
【請求項３】
シールドケース（５０）が、側板部（５４）（５４）の他に、側板部（５４）（５４）の隣に位置する少なくとも１つの側板部（５６）を具備し、この側板部（５６）の両側端に、側板部（５４）（５４）の外側面に当接する舌片状の接片部（６０）（６０）を連設したことを特徴とする請求項２記載のコネクタのシールド構造。
【請求項４】
シールドケース（５０）が、天板部（５２）の四辺から下方へ略直角に折り曲げて連設された側板部（５４）（５４）（５６）（５６）を具備し、対向する一方の側板部（５４）（５４）に膨出部（５８）（５８）を形成し、対向する他方の側板部（５６）（５６）の両側端に、一方の側板部（５４）（５４）の外側面に当接する舌片状の接片部（６０）（６０）（６０）（６０）を連設したことを特徴とする請求項２記載のコネクタのシールド構造。
【請求項５】
コネクタ（１０）が、操作レバー（２０）の回動でスライダ（１８）をハウジング（１２）内へ挿脱し、スライダ（１８）のハウジング（１２）への挿入でフレキシブルプリント配線基板（８０）をコンタクト（２２〜２２）側へ押圧してフレキシブルプリント配線基板（８０）の接触部をコンタクト（２２〜２２）の接触部に接触させるＦＰＣ用コネクタであり、導電部材（１４）（１６）が、ハウジング（１２）の両側壁に固着されてスライダ（１８）を案内するとともに操作レバー（２０）を回動可能に支持し、さらにプリント配線基板（７０）への固定をする補強金具であることを特徴とする請求項２、３又は４記載のコネクタのシールド構造。
【請求項６】
スライダ（１８）の両側壁面に抜け止め用の突起（３４）（３４）を突設し、補強金具に、突起（３４）（３４）と係合して操作レバー（２０）を案内する案内孔（３８）（３８）を形成し、膨出部（５８）（５８）は、コネクタ（１０）との係合完了時に案内孔（３８）（３８）に係合する位置に形成されていることを特徴とする請求項５記載のコネクタのシールド構造。
【発明の詳細な説明】
【技術分野】
【０００１】
本発明は、プリント配線基板上に実装されたコネクタのシールド構造に関するものである。
【背景技術】
【０００２】
プリント配線基板上に実装されたコネクタにおいては、信号速度が高速になるにつれて、プリント配線基板上に実装された他の素子を含む周辺の素子を電磁波障害（ＥＭＩ）から保護するために、コネクタの外側にシールドケースを設けて電磁波放射を遮蔽するＥＭＩ対策が必要になってくる。
【０００３】
図５及び図６は従来のコネクタのシールド構造を示すもので、ハウジング１０１に上下２段のコンタクト１０３、１０５を設けたＦＰＣ用コネクタ１０７と、このＦＰＣ用コネクタ１０７の外側に設けたシールドケース１０９とを具備し、コンタクト１０３、１０５の間にフレキシブルプリント配線基板（以下ＦＰＣと記述する。）１１１を挿入し、ＦＰＣ１１１を矢印方向に回動してシールドケース１０９の係止部１１３、１１３に係合したときに、ＦＰＣ１１１の接触部をコンタクト１０３、１０５の接触部に接触させるように構成されている（例えば特許文献１参照）。
【特許文献１】特開平１０−１８９１７４号公報（段落番号「０００７」、図１）
【発明の開示】
【発明が解決しようとする課題】
【０００４】
しかしながら、図５及び図６に示した従来例では、係止部１１３、１１３を形成するなどシールドケース１０９の構造が複雑になるという問題点があった。
また、コンタクト１０３、１０５の接続端子がシールドケース１０９より外側へ突出していたので、シールドケース１０９の表面に結露が生じた場合、シールドケース１０９の表面に付着した水滴がコンタクト１０３、１０５の接続端子の上に流下し、コンタクト１０３、１０５の接続端子やＦＰＣ１１１の接続端子（例えば接続パッド）などの導体露出部分に付着し、絶縁不良や腐食などが生じるおそれがあった。
【０００５】
本発明は上述の問題を鑑みなされたもので、シールドケースの構造を複雑にすることなく、ＥＭＩを防止できるとともに、結露による不具合を防止できるコネクタのシールド構造を提供することを目的とするものである。
【課題を解決するための手段】
【０００６】
請求項１記載の発明は、プリント配線基板上に実装されたコネクタと、このコネクタの外側に設けられるシールドケースとを具備したコネクタのシールド構造であって、前記コネクタの外壁面に接地用の導電部材を設け、前記シールドケースが、前記コネクタの上方から見える領域を覆う天板部と、この天板部から下方へ連設されて前記導電部材と電気的に接触する側板部とを具備したことを特徴とする。
【０００７】
請求項２記載の発明は、請求項１記載の発明において、コネクタが略直方体状に形成され、接地用の導電部材が前記コネクタの対向する外壁面に設けられた導電部材であり、シールドケースの側板部が、前記コネクタとの係合時に前記導電部材と弾性接触する膨出部が形成された側板部であることを特徴とする。
【０００８】
請求項３記載の発明は、請求項２記載の発明において、シールドケースが、膨出部が形成された側板部の他に、この側板部の隣に位置する少なくとも１つの側板部を具備し、この隣に位置する側板部の両側端に、前記膨出部の形成された側板部の外側面に当接する舌片状の接片部を連設したことを特徴とする。
【０００９】
請求項４記載の発明は、請求項２記載の発明において、シールドケースが、天板部の四辺から下方へ略直角に折り曲げて連設された側板部を具備し、対向する一方の側板部に膨出部を形成し、対向する他方の側板部の両側端に、一方の側板部の外側面に当接する舌片状の接片部を連設したことを特徴とする。
【００１０】
請求項５記載の発明は、請求項２、３又は４記載の発明において、コネクタが、操作レバーの回動でスライダをハウジング内へ挿脱し、前記スライダの前記ハウジングへの挿入でＦＰＣをコンタクト側へ押圧して前記ＦＰＣの接触部を前記コンタクトの接触部に接触させるＦＰＣ用コネクタであり、導電部材が、前記ハウジングの両側壁に固着されて前記スライダを案内するとともに前記操作レバーを回動可能に支持し、さらにプリント配線基板への固定をする補強金具であることを特徴とする。
【００１１】
請求項６記載の発明は、請求項５記載の発明において、スライダの両側壁面に抜け止め用の突起を突設し、補強金具に前記突起に係合して操作レバーを案内する案内孔を形成し、膨出部が、コネクタとの係合完了時に前記案内孔に係合する位置に形成されていることを特徴とする。
【発明の効果】
【００１２】
請求項１記載の発明は、プリント配線基板上に実装されたコネクタの外側にシールドケースを設け、コネクタの外壁面に接地用の導電部材を設け、シールドケースが、コネクタの上方から見える領域を覆う天板部と、導電部材と電気的に接触する側板部とを具備する構成としたので、ＥＭＩを防止できるとともに、結露で生じた水滴がプリント配線基板やコンタクトの導体露出部に付着するのを防止することができる。
【００１３】
請求項２記載の発明は、請求項１記載の発明において、コネクタが略直方体状に形成され、接地用の導電部材がコネクタの対向する外壁面に設けられた導電部材であり、シールドケースの側板部が、コネクタとの係合時に導電部材と弾性接触する膨出部が形成された側板部である構成としたので、シールドケースの構造を複雑することなく、ＥＭＩを防止できるとともに、結露で生じた水滴がプリント配線基板やコンタクトの導体露出部に付着するのを防止することができる。
【００１４】
請求項３記載の発明は、請求項２記載の発明において、シールドケースが、膨出部が形成された側板部の他に、この側板部の隣に位置する少なくとも１つの側板部を具備し、この隣に位置する側板部の両側端に連設した接片部が膨出部の形成された側板部の外側面に当接する構成としたので、シールドケースの構造を複雑することなく、膨出部の導電部材に対する弾性接触力を補強することができる。
【００１５】
請求項４記載の発明は、請求項２記載の発明において、シールドケースが、天板部の四辺から下方へ略直角に折り曲げて連設された側板部を具備し、対向する一方の側板部に膨出部を形成し、対向する他方の側板部の両側端に連設した接片部が一方の側板部の外側面に当接する構成としたので、シールドケースの構造を複雑することなく、膨出部の導電部材に対する弾性接触力を補強することができる。
【００１６】
請求項５記載の発明は、請求項２、３又は４記載の発明において、コネクタがスライダのハウジングへの挿入でＦＰＣをコンタクト側へ押圧してＦＰＣの接触部をコンタクトの接触部に接触させるＦＰＣ用コネクタであり、接地用の導電部材が、スライダを案内するとともに操作レバーを回動可能に支持し、さらにプリント配線基板への固定をする補強金具としたので、ＺＩＦ（ゼロインサーションフォース）型のＦＰＣ用コネクタにつき、その補強金具を導電部材として利用してＥＭＩ対策と結露対策を行うことができる。
【００１７】
請求項６記載の発明は、請求項５記載の発明において、スライダの両側壁面に抜け止め用の突起を突設し、補強金具に、抜け止め用の突起と係合して操作レバーを案内する案内孔を形成し、スライダとシールドケースの係合完了時に膨出部が案内孔に係合する構成としたので、コネクタとシールドケースの係合完了時にクリック感が生じるとともに、安定した係合状態を保持できる。
【実施例】
【００１８】
図１〜図４は本発明によるコネクタのシールド構造の一実施例を示すもので、これらの図において、１０はコネクタの一例としてのＦＰＣ用コネクタ、５０はシールドケースである。  
【００１９】
ＦＰＣ用コネクタ１０は、本出願人が既に提案したＦＰＣ用コネクタ（特開２００３−３１７８３８）であって、具体的にはハウジング１２、補強金具（据え付け具）１４，１６、スライダ１８、操作レバー２０及びコンタクト２２〜２２で形成されている。
ハウジング１２、スライダ１８は絶縁性プラスチック樹脂で成形され、補強金具１４、１６は接地用の導電部材の一例であって導電性金属板の折曲加工で形成され、操作レバー２０は金属（又は絶縁性プラシチック樹脂）で形成され、コンタクト２２〜２２は弾性を有する銅合金などの導電性金属板の打ち抜き加工で形成されている。
【００２０】
ＦＰＣ用コネクタ１０は次のように組み立てられる。
ハウジング１２のコンタクト収容部に背面側からコンタクト２２〜２２を圧入、係止し、ハウジング１２の係止溝２４、２６に補強金具１４、１６を圧入、係止し、補強金具１４、１６の案内部２８、３０にスライダ１８のスライド腕部３２、３２を挿入する。このとき、スライド腕部３２、３２の抜け止め用の突起３４、３４とクリック用の突起３６、３６が補強金具１４、１６の案内孔３８、３８に遊嵌し、スライダ１８の移動範囲を規制するとともにスライダ１８のハウジング１２からの抜けを止め、操作レバー２０の操作によるＦＰＣ接続時のクリック感を生じさせる。
ついで、スライダ１８の凹部４０、４０に操作レバー２０の回動腕部４２、４２を上部側から挿入して操作レバー２０を組み込む。このとき、操作レバー２０の枢軸４４、４４が補強金具１４、１６の枢支孔４６、４６に挿入され、操作レバー２０が枢軸４４、４４を中心に回動可能になっている。
【００２１】
以上のようにして組み立てられたＦＰＣ用コネクタ１０は、図３及び図４に示すように、プリント配線基板７０上の所定位置に載置され、コンタクト２２〜２２の接続端子４８〜４８がプリント配線基板７０上の接続端子（例えば接続パッド）に半田接続され、補強金具１４、１６がプリント配線基板７０上の接地端子に半田接続され、プリント配線基板７０上に実装される。
ついで、操作レバー２０を図１に示す初期状態から略９０°回動してスライダ１８をＦＰＣ８０の挿入口側へ移動させ、ＦＰＣ８０を低挿入力で挿入し、操作レバー２０を略９０°回動して操作レバー２０及びスライダ１８を図１の初期状態に戻すことによって、スライダ１８がＦＰＣ８０をコンタクト２２〜２２側へ押圧し、ＦＰＣ８０の接触部をコンタクト２２〜２２の接触部に弾性接触させ、電気的に接続させる。
【００２２】
シールドケース５０は、弾性を有する銅合金などの導電性金属板の打ち抜き、折り曲げ加工等によって、下面側を開口した略箱状に形成されている。
シールドケース５０は、具体的には、略矩形状に形成されてＦＰＣ用コネクタ１０の上方から見える領域を覆う天板部５２と、この天板部５２の四辺から下方へ略直角に折り曲げて連設された略長方形状の側板部５４、５４、５６、５６とを具備し、これらの側板部５４、５４、５６、５６のうちの対向する一方の側板部５４、５４の略真中に、内側へ膨出する膨出部５８、５８が形成され、対向する他方の側板部５６、５６の両端部に、略直角に折り曲げて一方の側板部５４、５４の外側面に当接する舌片状の接片部６０，６０、６０，６０が連設されている。
【００２３】
前記のように形成されたシールドケース５０は、プリント配線基板７０上に実装されたＦＰＣ用コネクタ１０の外周囲を覆うように、ＦＰＣ用コネクタ１０の外側に係合される。
具体的には、図３及び図４に示すように、一方の側板部５４、５４に形成された膨出部５８、５８を補強金具１４、１６の案内孔３８、３８に係合させることによって、膨出部５８、５８が補強金具１４、１６に弾性接触するとともに、他方の側板部５６、５６のうちの一方の側板部５６がＦＰＣ用コネクタ１０のＦＰＣ８０挿入側の外壁面を覆い、他方の側板部５６がＦＰＣ用コネクタ１０のコンタクト２２〜２２の接続端子４８〜４８より外側に配置される。
膨出部５８、５８の案内孔３８、３８への係合でシールドケース５０のＦＰＣ用コネクタ１０への係合が完了するので、クリック感が生じるとともに安定した係合状態を保持できる。
膨出部５８、５８の補強金具１４、１６への弾性接触により、ＦＰＣ用コネクタ１０の外周囲を覆うシールドケース５０が補強金具１４、１６を介入してプリント配線基板７０上の接地線に電気的に接続されるので、ＥＭＩを防止することができる。
また、シールドケース５０の天板部５２がＦＰＣ用コネクタ１０の上方から見える領域を覆い、側板部５６がコンタクト２２〜２２の接続端子４８〜４８より外側に配置されているので、シールドケース５０の表面に結露で生じた水滴がコンタクト２２〜２２の接続端子４８〜４８やプリント配線基板７０上の接続端子（例えば接続パッド）に付着するのを防止することができ、絶縁不良や腐食が生じるのを防止することができる。
【００２４】
前記実施例では、膨出部５８、５８を側板部５４、５４の略真中に形成するとともに、側板部５４、５４の両方を略同一形状に形成し、側板部５４、５４のいずれの一方（５４）がＦＰＣ８０の挿入側にきてもシールドケース５０のＦＰＣ用コネクタ１０への係合を可能として組立の容易化を図るようにしたが、本発明はこれに限るものでない。
例えば、膨出部５８、５８を側板部５４、５４の真中以外であって補強金具１４、１６の案内孔３８、３８に係合する位置に形成した場合や、側板部５４、５４のうちの一方（コンタクト２２〜２２の接続端子４８〜４８側の側板部５４）の高さを、図３に一点鎖線で示すように他方の高さより長くして、ＥＭＩ対策及び結露対策の向上を図るようにした場合についても利用することができる。
【００２５】
前記実施例では、ＦＰＣ用コネクタ１０の補強金具１４、１６に抜け止め用の突起３４、３４と係合する案内孔３８、３８を形成し、シールドケース５０のＦＰＣ用コネクタ１０への係合完了時に膨出部５８、５８が案内孔３８、３８に係合してクリック感を生じさせるとともに安定した係合状態を保持させるようにしたが、本発明はこれに限るものでなく、膨出部５８、５８が補強金具１４、１６に弾性接触するものであればよい。
例えば、ＦＰＣ用コネクタ１０の補強金具１４、１６に案内孔３８、３８が形成されていても、シールドケース５０のＦＰＣ用コネクタ１０への係合完了時に膨出部５８、５８が案内孔３８、３８に係合しない位置に形成さた場合についても利用することができる。
【００２６】
前記実施例では、コネクタがＺＩＦ型のＦＰＣ用コネクタ１０で、接地用の導電部材が補強金具１４、１６の場合について説明したが、本発明はこれに限るものでなく、コネクタがＺＩＦ型でないＦＰＣ用コネクタやＦＰＣ用でないコネクタの場合で、接地用の導電部材が補強金具１４、１６でない場合についても利用することができる。
【００２７】
前記実施例では、シールドケース５０が天板部５２と側板部５４、５４、５６、５６を具備し、側板部５６、５６の両端部に接片部６０，６０、６０，６０を連設してシールドケース５０の構造を複雑にすることなく膨出部５８、５８の補強金具１４、１６に対する弾性接触力を補強した場合について説明したが、本発明はこれに限るものでなく、接片部６０，６０、６０，６０の全部又は一部を省略した場合についても利用することができる。
例えば、シールドケース５０が、膨出部５８、５８の形成された側板部５４、５４の他に、この側板部５４、５４の隣に位置する１つの側板部５６を具備し、この側板部５６の両端部に弾性接触力を補強するための接片部６０，６０を連設した場合についても利用することができる。
【００２８】
前記実施例では、コネクタが略直方体状に形成され、接地用の導電部材がコネクタの対向する外壁面に設けられ、シールドケースの側板部が、コネクタとの係合時に導電部材と弾性接触する膨出部が形成された側板部の場合について説明したが、本発明はこれに限るものでなく、プリント配線基板上に実装されたコネクタと、このコネクタの外側に設けられるシールドケースとを具備し、コネクタの外壁面に接地用の導電部材を設け、シールドケースが、コネクタの上方から見える領域を覆う天板部と、この天板部から下方へ連設されて導電部材と電気的に接触する側板部とを具備したコネクタのシールド構造について利用することができる。
例えば、コネクタの対向する２つの外壁面又は一方の外壁面に接地用の導電部材を設け、天板部に接地用の導電部材と対面する２つの側板部又は１つの側板部を連設し、導電部材と側板部の一方と他方に互いに係合して電気的に接触する係合凹部と係止突起を形成した場合、又は導電部材と側板部の一方と他方に互いに係合して電気的に接触する係合窓と係止爪を形成した場合についても利用することができる。
【図面の簡単な説明】
【００２９】
【図１】本発明によるコネクタのシールド構造の一実施例を示すもので、一部の図示を省略した分解斜視図である。
【図２】図１中のＦＰＣ用コネクタ１０を示すもので、一部の図示を省略した分解斜視図である。
【図３】図１においてシールドケース５０のＦＰＣ用コネクタ１０への係合完了状態における、短手方向に平行な縦断面を示す断面図である。
【図４】図１においてシールドケース５０のＦＰＣ用コネクタ１０への係合完了状態における、長手方向に平行な側面の一部を切り欠いて断面で表わした部分側面図である。
【図５】従来例を示す斜視図である。
【図６】図５においてＦＰＣ１１１を挿入した状態における、Ａ−Ａ線断面図である。
【符号の説明】
【００３０】
１０…ＦＰＣ用コネクタ（コネクタの一例）
１２…ハウジング     
１４、１６…補強金具（接地用の導電部材の一例）
１８…スライダ
２０…操作レバー
２２…コンタクト   
３４…抜け止め用の突起
３６…クリック用の突起
３８…案内孔
４８…コンタクト２２の接続端子
５０…シールドケース      
５２…天板部
５４、５６…側板部
５８…膨出部       
６０…接片部
７０…プリント配線基板
８０…ＦＰＣ（フレキシブルプリント配線基板）
【図１】
2005268018.tif 000003
【図２】
2005268018.tif 000004
【図３】
2005268018.tif 000005
【図４】
2005268018.tif 000006
【図５】
2005268018.tif 000007
【図６】
2005268018.tif 000008